(57)【要約】【課題】送風装置本体を天井に設置する際に本体の設置位置、設置方向及びダクト配管位置、配管方向が制限されている場合でも、本体の通風口からの吹出経路を、単純な経路とすることができる送風装置を得ることを目的とする。【解決手段】本発明に係る送風装置は、複数の通風口を本体ケースに設け、通風口に接続して本体ケースの外面に取り付けられる接続部を設け、本体ケースとパネルとで囲まれた内部空間に本体ケース内部に吸引される空気と本体ケース内部から吹出される空気とを分流する分流手段を備えるものである。【選択図】          図１
2018004211.tif 000002
【特許請求の範囲】
【請求項１】
複数の通風口が設けられた本体ケースと、
前記本体ケースに設けられた送風手段と、
前記本体ケースの内壁に前記送風手段を覆って回転自在に取り付けられ、前記複数の通風口の少なくとも１つに連通する空気の送風口を有するファンケーシングと、
前記本体ケースの外面に前記通風口に接続して取り付けられ、ダクトとの接続口を有する接続部と、
前記本体ケースの開口面を覆って取り付けられるパネルと、
前記本体ケースと前記パネルとで囲まれた内部空間に設けられ、前記本体ケース内部に吸引される空気と前記本体ケース内部から吹出される空気とを分流する分流手段と
を備える送風装置。
【請求項２】
前記分流手段は、前記パネルの内壁に前記本体ケース側に突出して設けられた突起部からなることを特徴とする
請求項１に記載の送風装置。
【請求項３】
前記分流手段は、前記本体ケースの内側に設けられた分流板からなることを特徴とする
請求項１に記載の送風装置。
【請求項４】
前記本体ケースの内壁に配設され前記ファンケーシングの前記送風口と前記接続部が接続された通風口とを連結させる連結ダクト
を備える請求項１から３いずれか１項に記載の送風装置。
【発明の詳細な説明】
【技術分野】
【０００１】
この発明は、送風装置に関する。
【背景技術】
【０００２】
室内の空気を換気する送風装置には、天井に設置して室内の空気を吸気し、天井裏等に配置されたダクトを介して屋外へ排出するタイプのものがある。このような送風装置は、送風機を内蔵しており、この送風機を駆動して室内空気を吸気口から吸気し、本体の通風口から吹出す。この通風口は予め天井内に設置されているダクトと連結され、ダクトを介して室内の空気が屋外へ排気される。
【０００３】
このような送風装置として、例えば特許文献１には、本体内に設けられた送風機と、本体の側面に設けられ送風機からの風を屋外へ吹出す通風口と、通風口と天井のダクトとを連結させる接続部とを備える構成が開示されている。
【先行技術文献】
【特許文献】
【０００４】
【特許文献１】特開２０１５−１８３９４６号公報
【発明の概要】
【発明が解決しようとする課題】
【０００５】
上記のような従来の送風装置では、本体内における送風機の設置位置及び送風機の送風口の位置が固定されており、この送風機の送風口と対向するように、本体の側面には通風口及び接続部が設置されている。このような送風装置本体を天井に設置する際に、本体の設置方向を優先すると、接続部と天井内のダクトの配管位置とが離れてしまう場合がある。この場合、接続部とダクトとの間にエルボ等の接続部材を取り付けて吹出風路を接続することになるが、このため、吹出風路が曲がったり、長くなる等、複雑になってしまう問題があった。吹出風路が複雑になることは、設置作業の煩雑化や送風機の圧損を増加させてしまうことにつながる。
【０００６】
本発明は、上記のような課題を解決するためになされたもので、本体を天井に設置する際に本体の設置位置、設置方向及びダクト配管位置、配管方向が制限されている場合でも、本体の通風口からの吹出経路を、単純な経路とすることができる送風装置を得ることを目的とする。
【課題を解決するための手段】
【０００７】
本発明に係る送風装置は、複数の通風口を本体ケースに設け、通風口に接続して本体ケースの外面に取り付けられる接続部と、前記接続部が接続される通風口以外の通風口を覆うカバー部材とを備えるものであり、さらに、前記本体ケース内部に吸引される空気と前記本体ケース内部から吹出される空気とを分流する分流手段を設けたものである。
【発明の効果】
【０００８】
本発明に係る送風装置によれば、複数の通風口を本体ケースに設け、通風口に接続して本体ケースの外面に取り付けられる接続部を設けたので、天井内のダクトの位置、あるいはダクトの開口の向きに適応させて接続部の位置を変えることができるため、本体の設置位置、方向を優先して本体を天井に設置する場合であっても本体の通風口からの吹出経路を単純な経路とすることができる。また、送風機内部に分流手段を設けているため、送風機に吸い込まれる空気と送風機から吹出される空気との経路を分け、送風装置内の空気の流れを効率化することができる。
【図面の簡単な説明】
【０００９】
【図１】本発明の実施の形態１に係る空気清浄装置の概略構成図
【図２】本発明の実施の形態１に係る空気清浄装置の概略構成図
【図３】本発明の実施の形態に係る空気清浄装置の側面図
【図４】本発明の実施の形態に係るパネルの平面図
【図５】本発明の実施の形態１に係る空気清浄装置の概略構成図
【図６】本発明の実施の形態１に係る空気清浄装置の概略構成図
【図７】本発明の実施の形態１に係る空気清浄装置の概略構成図
【図８】本発明の実施の形態１に係るパネルの上面図
【図９】本発明の実施の形態１に係る分流板及び循環用送風機の斜視図
【図１０】本発明の実施の形態２に係る空気清浄装置の概略構成図
【図１１】本発明の実施の形態３に係る空気清浄装置の概略構成図
【図１２】本発明の実施の形態４に係る空気清浄装置の概略構成図
【図１３】本発明の実施の形態４に係る空気清浄装置の風路の説明図
【発明を実施するための形態】
【００１０】
実施の形態１．
本発明の送風装置は、例えば天井に設置され、ダクトを介して外気と室内空気とを換気する機能を有するものであり、ダクトとの接続口を予め複数準備しておき、ダクトと接続する位置を柔軟に変えることができるようにして、本体設置時にダクトを含む吹出経路を単純な経路とすることができるものである。
以下、本発明の送風装置の一例としての空気清浄装置について説明する。
本実施の形態１の空気清浄装置は、天井に設置され、ダクトを介して外気と室内空気とを換気する機能と、室内空気をフィルターにより清浄しながら循環する機能を備えるものである。
図１は実施の形態１に係る空気清浄装置を側面からみた概略構成図、図２は実施の形態１に係る空気清浄装置を下面からみた概略構成図であり、図２（ａ）、（ｂ）はそれぞれ内部の構成の配置が異なる例を示している。図１のものを下面からみた場合が図２（ａ）である。
【００１１】
空気清浄装置１００は、下面に開口面を形成する開口部１３を有して箱型に形成された樹脂からなる本体ケース１０と、本体ケース１０の開口面を覆うようにして本体ケース１０に係止されるパネル２０とを備えている。また、本体ケース１０内部には、室内空気を屋外へ送風して換気する際に駆動させる換気用送風機５０と、室内空気を循環させる際に駆動する循環用送風機６０と、循環用送風機６０に吸い込まれる空気をフィルタリングして清浄にする空気清浄ユニット７０とが配設されている。
また、本体ケース１０の側面には、換気用送風機５０により送風または給気される空気を通す複数の通風口１５（図１では一つのみ示されている）が設けられており、この通風口１５に接続する接続部８０が本体ケース１０の外面に取り付けられている。接続部８０は本体ケース１０の外面に着脱自在に取り付けられるようになっており、本体の設置位置、方向によって、異なる通風口１５に接続するように取り付けることが可能である。図２（ａ）では図の左側の側面にある通風口１５に接続部８０が取り付けられ、図２（ｂ）では図の上側の側面にある通風口１５に接続部８０が取り付けられている様子を示している。また接続部８０は、円筒形の風洞であり本体ケース１０に取り付けられる本体接続口８１と、ダクト１に接続されるダクト接続口８２とを有している。
【００１２】
本体ケース１０は、図１、図２に示すように４つの側面部１１と、上面部１２と、上面部１２に対向する開口面を形成する開口部１３とを備え、さらに開口部１３下方端部の４辺が側面部１１と垂直に本体ケース１０の外側に折り曲げられて形成されたフランジ１４を備える。  フランジ１４の角部には、ネジ等の固定部材を用いて天井３の野縁２に本体ケース１０を固定させる固定ネジ取付部を備える。
【００１３】
パネル２０は、本体ケース１０の下方に本体ケース１０の下面の開口部１３と隙間をもつように係止されており、フランジ１４との間で空気清浄装置１００の吸気口４及び室内吹出口５を形成する。このパネル２０を本体ケース１０に係止している状態を図３の側面図に示す。また、パネル２０を上からみた平面図を図４に示す。図３、図４に示すように、本体ケース１０の開口部１３の４辺に形成されたフランジ１４のうち１辺に対応するフランジ１４には、脚部と一体になった軸３０が両端の２ヶ所に設けられており、パネル２０の対応する部分には軸３０で軸支される軸受２１が設けられている。そして、軸受２１が軸３０で回動可能に軸支されることで、パネル２０が本体ケース１０に回動可能に係止されている。
さらに、軸３０が設けられているフランジ１４と対向するフランジ１４には、保持部３１が設けられるとともに、パネル２０の対応する部分には保持部３１と着脱自在に係止される引掛部２２が設けられている。そして、パネル２０を開口部１３を覆う位置に回動させて、保持部３１を引掛部２２に係止すれば、パネル２０を開口部１３を覆う状態にしておくことができ、保持部３１を引掛部２２から取り外せば、開口部１３を開放することができる。パネル２０が開閉可能となることで、本体ケース１０内部及び空気清浄ユニット７０の清掃が容易になる。パネル２０はフラット形状の樹脂で形成され、本体ケース１０の開口面を覆うことにより、本体ケース１０内部が露出することを防ぎ、意匠性を高めることができる。
【００１４】
本体ケース１０とパネル２０とで囲まれた本体の内部空間には、換気用送風機５０、循環用送風機６０、及び空気清浄ユニット７０が配設されている。
換気用送風機５０は、吸気口４から吸気された室内空気を吸込み、通風口１５へ向けて送風するものである。換気用送風機５０は、多翼式の換気用ファン５１と換気用ファン５１を回転駆動させる換気用モーター５２と、換気用ファン５１及び換気用モーター５２を収納する換気用ファンケーシング５３と、換気用ファンケーシング５３にネジ等で固定され換気用送風機５０の換気用吸気口５４を形成する換気用オリフィス５５とを備えている。換気用ファン５１と換気用モーター５２とで送風手段を構成している。換気用ファンケーシング５３には換気用ファン５１からの風を送風する換気用送風口５６が形成されている。この換気用送風機５０はシロッコファンであるが、空気を送れるものであれば、他のタイプの送風機でもよい。
【００１５】
循環用送風機６０は、吸気口４から吸気され空気清浄ユニット７０を通過して空気清浄された空気を吸込み、室内吹出口５から室内へ空気を送風するものである。循環用送風機６０は、本体ケース１０内部に固定配置されており、多翼式の循環用ファン６１と、循環用ファン６１を回転駆動させる循環用モーター６２と、循環用ファン６１及び循環用モーター６２を収納する循環用ファンケーシング６３と、循環用ファンケーシング６３にネジ等で固定されて循環用送風機６０の吸気口を形成する循環用吸気口６４と、循環用ファンケーシング６３に形成され循環用ファン６１からの風を本体ケース１０内部に送風する循環用送風口６５とを備える。ここで循環用送風機６０は例えばシロッコファンであるが、空気を送れるものであれば、他のタイプの送風機でもよい。
【００１６】
空気清浄ユニット７０は、循環用吸気口６４の下方に配置され、循環用送風機６０に吸気される前の室内空気を清浄するものである。空気清浄ユニット７０はＨＥＰＡフィルターや電気集塵装置等の埃除去するもの、または脱臭フィルター等の臭い成分を除去するものから構成される。
【００１７】
循環用送風機６０は、循環用吸気口６４が空気清浄ユニット７０を介して開口部１３を向くように本体ケース１０の上面部１２にネジ等の固定具により取り付けられ、循環用送風口６５がパネル２０と対向する位置に設けられる。この構成により、循環用送風機６０によって吸気口４から吸気された室内空気は、空気清浄ユニット７０で清浄され、この清浄された空気が循環用吸気口６４から吸い込まれた後に循環用送風口６５から本体内部へ吹出される。さらに、清浄された室内空気が本体内部から室内吹出口５を通じて室内へ送風されることで、室内空気は循環される。
【００１８】
ここで、換気用送風機５０についてより詳細な構成を説明する。換気用モーター５２は、その回転軸が本体ケース１０に設けられた穴に挿通されて本体ケース１０に固定されている。モーターは駆動すると振動等を生じるので、本体設計において決められた位置に確実に固定するとよい。一方、換気用ファンケーシング５３は、本体ケース１０の内壁に換気用ファン５１と換気用モーター５２とを覆って回転自在に取り付けられている。すなわち、換気用ファンケーシング５３は、図における上面を本体ケース１０の上面部１２に接するようにして換気用モーター５２の回転軸を軸として回転させて、換気用吸気口５４が任意の方向を向いても固定できるようにしており、本体を天井に設置する際に換気用ファンケーシング５３の向きを変えることができる。換気用ファンケーシング５３は、向きを決めた後、ファンケーシング固定ネジ等により本体ケース１０に締め固定されることで取り付けられる。例えば、複数の方向に対応した固定用のネジ穴を本体ケース１０に設けておき、決められた向きに応じたネジ穴を使うようにすればよい。
例えば図２（ａ）では図の左側の側面にある通風口１５に接続部８０が取り付けられ、図２（ｂ）では図の上側の側面にある通風口１５に接続部８０が取り付けられており、それそれ、接続部８０が取り付けられている通風口１５に換気用送風口５６が対向する向きに換気用ファンケーシング５３が設置されている。この状態で、通風口１５と換気用送風口５６との間には空気が流れる流路が存在し連通している。このように換気用ファンケーシング５３が設置されていると、換気用モーター５２が駆動した場合には、吸気口４から本体ケース１０内部に吸気された室内空気が、換気用吸気口５４から吸気されて換気用送風口５６から吹き出され、通風口１５を通じて本体ケース１０の外部へ排気される。
このとき、換気用送風口５６と通風口１５との間の距離は、密着またはほとんどの風が通風口１５以外へ吹出さない程度すると効率がよい。そのため、換気用送風機５０の設置位置は、換気用ファンケーシング５３が換気用モーター５２を中心に回転したときに換気用送風口５６と通風口１５とが密着する位置またはほとんどの風を通風口１５以外へ吹出さない程度の距離を保つことができる位置がよく、この実施の形態１では、図２に示すように本体内の角に固定している。
【００１９】
換気用送風機５０から排気される空気は、通風口１５に取り付けられた接続部８０を通じて、例えば予め天井３に設置されたダクト１に送風され、ダクト１を介して屋外へ排気される。
【００２０】
接続部８０は本体ケース１０に着脱可能に取り付けられる構成、例えば、図５に示すように本体ケース１０に対してスライドして着脱可能な構成である。これ以外にネジ等の固定部材を用いて固定する構成でもよく、換気用送風口５６が配設される任意の通風口１５に対向して設けられる。
上述のように、本体ケース１０に設けられた複数の通風口１５のうち任意の通風口１５に対向するように換気用送風口５６を向けて換気用ファンケーシング５３を配設することができ、また、任意の通風口１５に接続部８０を取り付けてダクト１に接続することができるので、本体設置時に、本体の位置と天井３内に既設のダクト１との位置関係が限定されている場合、この位置関係に適応させて接続部８０の接続位置を選ぶことができる。これにより、本体の通風口からの吹出経路をより単純な経路とすることができる。吹出経路を単純な経路とすることは、設置作業の簡易化や送風機の圧損増加の防止につながるものである。
なお、換気用送風口５６が配設されていない通風口１５を板状のカバー部材１７により覆うことで、送風を意図している接続部８０が接続された通風口１５と室内吹出口５ではない部分からの空気が漏れるのを防ぐ。
【００２１】
次に、空気清浄装置１００の取付け工程について説明する。
空気清浄装置１００の天井への取付けは、空気清浄装置１００のうち空気清浄装置１００から取り外された接続部８０のダクト接続口８２を天井３に既設のダクト１に接続し、その後、残りの空気清浄装置１００部品を天井３に設けられた角型の仕切構造の穴に空気清浄装置１００を室内側から天井３裏に向けて挿通させることにより行う。
【００２２】
本体ケース１０を天井３に設置する前に、通風口１５のうち接続部８０が取り付けられる通風口１５を開口状態とし、この通風口以外の通風口１５はネジ等の固定部材を用いて側面部１１にカバー部材１７を取り付けることで空気の漏れを少なくするように覆う。覆い方としては空気の漏れが少ない密閉状態であれば、なおよい。
また、本体ケース１０を天井３に設置する前に、本体ケース１０内には換気用送風機５０、循環用送風機６０、及び空気清浄ユニット７０を配設しておく。循環用送風機６０、及び空気清浄ユニット７０は決められた位置、向きで固定されるが、換気用送風機５０については、本体ケース１０を天井３に設置する位置、向きに応じて、換気用ファンケーシング５３の向きを決めて配設する。換気用モーター５２は、予め本体ケース１０に固定されており、換気用モーター５２の回転軸を覆うようにして換気用ファンケーシング５３を配し、換気用ファンケーシング５３の上面を本体ケース１０の上面部１２に接するようにして換気用モーター５２の回転軸を軸として回転させ、換気用送風口５６を接続部８０が取り付けられる通風口１５と対向する位置に配置させる。そして、換気用ファンケーシング５３を、ケーシング固定ネジにより本体ケース１０に固定し、換気用ファン５１、換気用オリフィス５５を取り付ける。
その後、本体ケース１０を、通風口１５と接続部８０とが当接して取付けられる向きにして、天井３の仕切構造の穴に挿通させる。この本体ケース１０を天井に挿通する際、天井３のダクト１の接続されていた接続部８０を本体ケース１０の側面部１１に対してスライドして取り付ける。このように空気清浄装置１００が天井３に挿通されると、任意の通風口１５に接続部８０の本体接続口８１が接続され、通風口１５は接続部８０及びダクト１を介して屋外と連通する構成となる。
空気清浄装置１００が設置される仕切構造の天井３裏側の周囲には、木枠からなる野縁２が設けられており、挿通された空気清浄装置１００は、フランジ１４を野縁２に固定ネジ取付部利用してネジで締め固定することにより天井３に設置される。
【００２３】
以上がダクトを介して空気を換気する換気用風路を単純化するための構成であったが、さらに、本体ケース１０の内部に吸引される空気と本体ケース１０内から吹出される空気とを分流する分流手段９０を備える構成を説明する。
図６は分流手段９０を備えた空気清浄装置２００の構造を示した概略構成図、図７は空気清浄装置２００下面からみた概略構成図である。
【００２４】
この空気清浄装置２００においては、室内空気を循環する際の本体ケース１０内の風路を適切に形成するため、本体ケース１０の内部に吸引される空気と本体ケース１０内から吹出される空気とを分流する分流手段９０を備える構成である。
【００２５】
図８はパネル２０の上面図、図９は分流板９２及び循環用送風機を一部透視して示す斜視図である。図６〜図９に基づいて分流手段９０について説明する。
分流手段９０の一部としての突起部９１は、パネル２０の本体ケース１０側に突出して設けられている。また、分流手段９０の一部としての分流板９２は、循環用ファンケーシング６３の下面に突出して設けられている。突起部９１及び分流板９２は、循環用送風口６５と循環用吸気口６４との間を仕切る位置と循環用送風機６０と換気用送風機５０とを仕切る位置に設けられる。循環用送風口６５と循環用吸気口６４との仕切り及び循環用送風機６０と換気用送風機５０との仕切りは連続して形成されるか別部材として形成される。
【００２６】
次に、空気清浄装置２００の空気の流れについて説明する。
室内から屋外へ排気される空気の流れである換気風路は、空気清浄装置２００の駆動により吸気口４から吸気された空気の一部が、換気用送風機５０の換気用吸気口５４から換気用送風機５０内部へ吸気され、換気用送風口５６から通風口１５及び接続部８０を通ってダクト１に送風され、屋外へ排気されることで形成される。また、室内から室内へ循環される空気の流れである循環風路は、吸気口４から吸気された空気の一部が、空気清浄ユニット７０を通り清浄された後循環用送風機６０の循環用吸気口６４から循環用送風機６０内部へ吸気され、循環用送風口６５から本体ケース１０内部に送風されると、室内吹出口５から室内へ吹出されることで形成される。
【００２７】
この空気清浄装置２００によれば、分流手段９０をパネル２０または本体ケース１０内部に設けることにより、換気風路及び循環風路において室内から吸気される空気と循環風路において室内へ吹出す空気とが交わることを抑制することができる。そのため、吸気口４及び室内吹出口５付近で、埃や臭いを含む空気と空気清浄ユニット７０により清浄された空気とを分流することができ、効率よく空気清浄及び換気を行うことができる。
なお、分流手段９０を突起部９１と分流板９２で構成する例を示したが、分流手段９０は分流作用を形成するものであればよく、また、突起部９１と分流板９２のいずれか一方で構成してもよい。また、分流板９２は本体ケース１０に設ける構成としてもよい。
【００２８】
以上のように、実施の形態１に係る空気清浄装置１００、２００によれば、複数の通風口を本体ケースに設け、通風口に接続して本体ケースの外面に取り付けられる接続部と、前記接続部が接続される通風口以外の通風口を覆うカバー部材とを備えたので、本体の設置位置、設置方向、天井３内のダクト１の配管位置、方向に適応させてダクト１との接続口の位置を変えることができるため、本体の通風口１５からの吹出経路を単純な経路として設計することができる。吹出経路を単純な経路とすることができれば、エルボ等の間接部材を使用することなく、ダクト１をできるだけ直線的に配管することができるため、設置作業の簡易化や送風機の圧損増加の防止につながる。また、間接部材を使用する必要がないため、材料費用を低減することができる。また、分流手段９０をパネル２０または本体ケース１０内部に設けることにより、換気風路及び循環風路において室内から吸気される空気と循環風路において室内へ吹出す空気とが交わることを抑制することができる。
【００２９】
実施の形態２．
図１０は本発明の実施の形態２に係る空気清浄装置３００を下面からみた概略構成図である。実施の形態２では、実施の形態１との相違点を中心に説明し、実施の形態１と同一部分には同一符号を付して説明を省略するものとする。
【００３０】
実施の形態１では、複数配置された通風口１５のうち１つの任意の通風口１５を選択し、任意の通風口１５に向けて換気用送風機５０の換気用ファンケーシング５３を回転させる構成であったが、実施の形態２では、換気用送風口５６を本体ケース１０の角に対向するように設置しダクト１の設置位置に応じて通風口１５を選択するものである。
【００３１】
通風口１５の選択は、角を形成する本体ケース１０の２つの側面部１１に設けられた通風口１５のうち、空気清浄装置３００を天井３に設置する際にダクト１と対向する任意の通風口１５を開口状態とさせ、他方の通風口１５をカバー部材１７で密閉することで行う。換気用送風口５６は本体ケース１０の角に対向するように設置されているため、２つの側面部１１に設けられた通風口１５のうちどちらからでもダクト１に向かって室内空気を送風することができる。
このとき、換気用送風機５０の設置位置は、換気用送風口５６と通風口１５とがほとんどの風が通風口１５以外へ吹出さない程度の距離を保つことができる位置がよく、この実施の形態２では、図１０のように本体内の角に固定している。
【００３２】
実施の形態２に係る空気清浄装置３００によれば、予め換気用ファンケーシング５３の配置位置及び配置方向を固定してあるため、換気用ファンケーシング５３の向きを回転させる必要が無く、ダクト１の設置位置応じて通風口１５を選択するだけで本体の通風口１５からの吹出経路を単純な経路として設計することができる。よって、設置作業の簡易化や送風機の圧損増加の防止につながる。
【００３３】
実施の形態３．
図１１は本発明の実施の形態３に係る空気清浄装置４００の構造を示した正面図である。実施の形態３では、実施の形態１との相違点を中心に説明し、実施の形態１と同一部分には同一符号を付して説明を省略するものとする。
【００３４】
実施の形態１、２では、換気用送風機５０の設置位置は、換気用送風口５６と通風口１５との距離がほとんどの風を通風口１５以外へ吹出さない程度の距離を保つことができる位置であったが、実施の形態３では、換気用送風口５６と通風口１５とが離れて設置される場合を示し、換気用送風口５６と通風口１５とを連結させる連結ダクト１６を備えるものである。
【００３５】
連結ダクト１６は、円筒形の風洞であり、通風口１５の本体ケース１０の内壁側に設置される。ここで連結ダクト１６が設置される通風口１５とは、本体ケース１０の通風口１５のうち換気用送風口５６と通風口１５との距離が離れている通風口１５である。換気用送風口５６と通風口１５との距離が離れているので、換気用送風口５６から風を吹出すだけでは効率的に通風口１５吹出せないため、これらを連結ダクト１６で連結する。
【００３６】
連結ダクト１６は、本体ケース１０と一体として形成してもよく、本体ケース１０と別部材としてネジ又は接着剤等の固定部材で取付けてもよい。また連結ダクト１６は、蛇腹
等の伸縮自在な構成とし、本体ケース１０または換気用送風口５６に取付けてもよい。
【００３７】
実施の形態３に係る空気清浄装置４００によれば、換気用送風口５６と通風口１５とを連結させる連結ダクト１６を備えるため、換気用送風口５６と通風口１５とが離れて設置される場合でも換気用送風機５０からの風を接続部８０が取り付けられる通風口１５へ送風することができる。したがって、換気用送風機５０の設置位置に関わらず接続部８０を取り付ける通風口１５を選択することができる。
【００３８】
実施の形態４．
図１２（ａ）（ｂ）（ｃ）は本発明の実施の形態４に係る空気清浄装置５００について換気用送風機を異なる方向に設置した場合の下面からみた概略構成図である。図１２に基づいて空気清浄装置５００について説明する。なお、実施の形態４では、実施の形態１との相違点を中心に説明し、実施の形態１と同一部分には同一符号を付して説明を省略するものとする。
【００３９】
実施の形態１から３では、換気用送風機５０が室内空気を屋外へ送風する排気仕様であったが、実施の形態４では換気用送風機５０が屋外空気を室内へ送風する給気仕様とするものである。
【００４０】
換気用送風機５０は換気用吸気口５４が本体ケース１０の通風口１５に対向して配置され、かつ換気用送風口５６が本体ケース１０の下方を向くように設置される。換気用吸気口５４が対向する通風口１５とは、天井３内に設置されたダクト１と接続する接続部８０が設けられる通風口１５である。つまり、通風口１５は接続部８０及びダクト１を介して屋外と連通する構成となる。また、図１２（ｃ）のように換気用吸気口５４と通風口１５とが離れて設置される場合には、連結ダクト１６を用いて換気用吸気口５４と通風口１５とを連結させる。
【００４１】
さらに、パネル２０または本体ケース１０の内部に分流手段９０を設ける構成としてもよい。図１３は本発明の実施の形態４に係る空気清浄装置５００に分流手段９０を設けた場合の風路の説明図である。ここで分流手段９０は、換気用送風口５６及び循環用送風口６５と循環用吸気口６４との間に設置される。室内吹出口５は換気用送風口５６及び循環用送風口６５側の面を含む空間に形成され、吸気口４は循環用送風機６０側の面を含む空間に形成される。
【００４２】
屋外から室内へ給気される空気の流れである換気風路は、空気清浄装置５００の駆動により外気が屋外からダクト１を通って換気用送風機５０内部へ吸気され、換気用送風口５６から本体ケース１０に向けて送風されると、室内吹出口５から室内へ吹出されることで形成される。
【００４３】
実施の形態４に係る空気清浄装置５００によれば、換気用送風機５０を屋外空気を室内へ送風する給気仕様として構成することにより、積極的に屋外の空気を室内に給気することができ、同時に循環用送風機６０及び空気清浄ユニット７０による空気清浄が行われるため、室内の換気を促すことができる。
【００４４】
なお、上記いずれの実施の形態においても、本体ケース１０は側面部１１及び上面部１２を有する箱型であるものを示したが、本体ケース１０の形状は箱型に限定されず、一面に開口部を有する構成であれば半球等の形状でもよい。また連結ダクト１６及び接続部８０は円筒形であるとしたが、送風機とダクト１とを連結して風路を形成する形状であれば、その形状は限定されない。また、各実施の形態を組み合わせて空気清浄装置を構成することもできる。
【００４５】
また、本発明の実施の形態では送風装置の一例として空気清浄装置を説明したが、本発明は、換気装置やエアコン等の送風機能を有する装置に適用できるものである。
【産業上の利用可能性】
【００４６】
本発明に係る送風装置は、家庭用または業務用の送風装置として広く利用することが可能である。
【符号の説明】
【００４７】
１  ダクト、２  野縁、３  天井、４  吸気口、５  室内吹出口、１０  本体ケース、１１  側面部、１２  上面部、１３  開口部、１４  フランジ、１５  通風口、１６  連結ダクト、１７  カバー部材、２０  パネル、２１  軸受、２２  引掛部、３０  軸、３１  保持部、５０  換気用送風機、５１  換気用ファン、５２  換気用モーター、５３  換気用ファンケーシング、５４  換気用吸気口、５５  換気用オリフィス、５６  換気用送風口、６０  循環用送風機、６１  循環用ファン、６２  循環用モーター、６３  循環用ファンケーシング、６４  循環用吸気口、６５  循環用送風口、７０  空気清浄ユニット、８０  接続部、８１  本体接続部、８２  ダクト接続口、９０  分流手段、９１  突起部、９２  分流板、１００、２００、３００、４００、５００  空気清浄装置
【図１】
2018004211.tif 000003
【図２】
2018004211.tif 000004
【図３】
2018004211.tif 000005
【図４】
2018004211.tif 000006
【図５】
2018004211.tif 000007
【図６】
2018004211.tif 000008
【図７】
2018004211.tif 000009
【図８】
2018004211.tif 000010
【図９】
2018004211.tif 000011
【図１０】
2018004211.tif 000012
【図１１】
2018004211.tif 000013
【図１２】
2018004211.tif 000014
【図１３】
2018004211.tif 000015